(57)【要約】  大きな描画エリアを確保できると共に、指示入力エリアに対する指示入力も適切なタイミングで受け付けて、これに応じた描画を行える描画システムを提供する。第１の端末装置（１）と第２の端末装置（２）とが通信可能に接続されて構成され、第１の端末装置（１）の表示デバイスの表示画面（１１５Ｄ）が描画エリア専用とされ、第２の端末装置（２）の表示デバイスの表示画面（２１５Ｄ）が指示入力エリア専用とされる。そして、第１の端末装置（１）では、第２の端末装置（２）からの指示情報に応じると共に、第１の位置検出センサを通じて受け付ける描画操作入力に応じて第１の表示デバイスの表示画面（１１５Ｄ）に設けられる描画エリアに描画が行われる。
2020158088.tif 000002
【特許請求の範囲】
【請求項１】
第１の表示デバイスと前記第１の表示デバイスの表示画面に対応する第１の位置検出センサとを備えた第１の端末装置と、第２の表示デバイスと前記第２の表示デバイスの表示画面に対応する第２の位置検出センサとを備えた第２の端末装置とが通信可能に接続されて構成される描画システムであって、
前記第１の端末装置は、
前記第２の端末装置から送信されて来る指示情報を取得する指示情報取得部と
前記第１の表示デバイスの前記表示画面を描画エリアとし、前記指示情報取得部を通じて取得した前記指示情報に応じると共に、前記第１の位置検出センサを通じて受け付ける描画操作入力に応じて前記描画エリアに描画を行うようにする描画処理部と、
を備え、
前記第２の端末装置は、
前記第２の表示デバイスの前記表示画面を指示入力エリアとし、前記指示入力エリアに指示入力受付画面を表示する受付画面表示処理部と、
前記指示入力エリアに表示された前記指示入力受付画面と前記第２の位置検出センサとを通じて受け付けた前記指示情報を、前記第１の端末装置に送信するようにする指示情報提供部と
を備えることを特徴とする描画システム。
【請求項２】
請求項１に記載の描画システムであって、
前記第１の端末装置は、
前記第２の端末装置との間で通信路が接続された場合に、前記指示入力受付画面を形成するための情報を含み、指示情報を受け付けて送信するために必要になる画面等情報を前記第２の端末装置に送信する画面等情報提供部を備え、
前記第２の端末装置は、
前記第１の端末装置から送信されて来る前記画面等情報を取得する画面等情報取得部を備え、
前記受付画面表示処理部は、前記画面等情報取得部を通じて取得した前記画面等情報に含まれる情報に基づいて、前記指示入力受付画面を前記指示入力エリアに表示して、指示情報を受け付け可能にする
ことを特徴とする描画システム。
【請求項３】
請求項１に記載の描画システムであって、
前記第１の端末装置は、
前記第２の端末装置との間で通信路が接続された場合に、所定の描画ソフトウェアを実行して、前記指示情報取得部と前記描画処理部とを制御する第１の制御部を備え、
前記第２の端末装置は、
前記第１の端末装置との間で通信路が接続された場合に、所定の入力受付ソフトウェアを実行して、前記受付画面表示処理部と前記指示情報提供部とを制御する第２の制御部を備える
ことを特徴とする描画システム。
【請求項４】
請求項１に記載の描画システムであって、
前記第１の端末装置は、
前記第１の表示デバイスの前記表示画面に描画エリアを設け、描画を行うようにする描画機能と、前記第１の表示デバイスの前記表示画面に指示入力エリアを設け、指示入力受付画面を表示して指示情報の入力を受け付ける指示入力受付機能との両方を有する第１の描画用ソフトウェアを備えており、
前記第２の端末装置との間で通信路が接続された場合に、前記第１の表示デバイスの前記表示画面を前記描画エリアとして、前記描画機能を働かせるようにして前記第１の描画用ソフトウェアを実行し、前記指示情報取得部と前記描画処理部とを制御する第１の制御部を備え、
前記第２の端末装置は、
前記第２の表示デバイスの前記表示画面に描画エリアを設け、描画を行うようにする描画機能と、前記第２の表示デバイスの前記表示画面に指示入力エリアを設け、指示入力受付画面を表示して指示情報の入力を受け付ける指示入力受付機能との両方を有する第２の描画用ソフトウェアを備えており、
前記第１の端末装置との間で通信路が接続された場合に、前記指示入力受付機能を働かせるようにして前記第２の描画用ソフトウェアを実行し、前記受付画面表示処理部と前記指示情報提供部とを制御する第２の制御部を備える
ことを特徴とする描画システム。
【請求項５】
請求項１に記載の描画システムであって、
前記第１の端末装置の前記第１の位置検出センサと、前記第２の端末装置の前記第２の位置検出センサとは、同一の電子ペンにより操作が可能なものであることを特徴とする描画システム。
【請求項６】
請求項５に記載の描画システムであって、
前記第１の端末装置は、
前記電子ペンから送信される電子ペン識別情報を受信する第１の受信手段と、
前記第１の受信手段を通じて受信した前記電子ペン識別情報を、前記第２の端末装置に送信する第１の識別情報提供手段と、
前記第２の端末装置から送信されて来る電子ペン識別情報を取得する第１の識別情報取得手段と、
前記第１の受信手段を通じて受信した電子ペン識別情報と、前記第１の識別情報取得手段を通じて取得した電子ペン識別情報とが同じ場合に、前記第２の端末装置との間に通信路を接続させるようにする第１の認証制御手段と
を備え、
前記第２の端末装置は、
前記電子ペンから送信される電子ペン識別情報を受信する第２の受信手段と、
前記第２の受信手段を通じて受信した前記電子ペン識別情報を、前記第１の端末装置に送信する第２の識別情報提供手段と、
前記第１の端末装置から送信されて来る電子ペン識別情報を取得する第２の識別情報取得手段と、
前記第２の受信手段を通じて受信した電子ペン識別情報と、前記第２の識別情報取得手段を通じて取得した電子ペン識別情報とが同じ場合に、前記第１の端末装置との間に通信路を接続させるようにする第２の認証制御手段と
を備えることを特徴とする描画システム。
【請求項７】
請求項１に記載の描画システムであって、
前記第２の端末装置の前記第２の位置検出センサは、使用者の指等によるタッチ操作が可能なものであることを特徴とする描画システム。
【請求項８】
請求項１に記載の描画システムであって、
前記第１の端末装置は、
無線あるいは有線により信号の送受信を行う第１の通信部と、
前記第１の通信部を通じた通信の結果に基づいて、接続判定を行う接続判定部と
を備え、
前記第２の端末装置は、
無線あるいは有線により信号の送受信を行う第２の通信部と、
前記第２の通信部を通じた通信の結果に基づいて、接続判定を行う接続判定部と
を備えることを特徴とする描画システム。
【請求項９】
請求項８に記載の描画システムであって、
前記第１の端末装置は、
前記第１の通信部を通じて通信を開始させるための第１の操作部を備え、
前記第１の操作部が操作された場合に、前記第１の通信部は記第２の端末装置の前記第２の通信部との間で通信路を接続するための通信処理を開始させることを特徴とする描画システム。
【請求項１０】
請求項８に記載の描画システムであって、
前記第２の端末装置は、
前記第２の通信部を通じて通信を開始させるための第２の操作部を備え、
前記第２の操作部が操作された場合に、前記第２の通信部は前記第１の端末装置の前記第１の近距離無線通信部との間で通信路を接続するための通信処理を開始させることを特徴とする描画システム。
【請求項１１】
請求項１に記載の描画システムであって、
前記第２の端末装置は、使用者の身体に対して取り付けるための取り付け具を備えることを特徴とする描画システム。
【発明の詳細な説明】
【技術分野】
【０００１】
この発明は、例えば、表示デバイスと位置検出センサとを有し、電子ペンによる描画入力が可能な端末装置を備えて構成される描画システムに関する。
【背景技術】
【０００２】
例えば、ＬＣＤ（Liquid Crystal Display）などの表示デバイスと位置検出センサとを備え、電子ペンによる描画入力が可能なタブレットＰＣ（Personal Computer）などが広く用いられている。タブレットＰＣに対して描画入力を行う場合には、いわゆる描画ソフトウェアが実行される。描画ソフトウェアにおいては、表示画面に描画エリアと指示入力エリアとを設けて、使用者からの指示入力を受け付ける。【０００３】
描画エリアは、電子ペンによる描画入力を受け付けて、これに応じた描画像を表示するエリアである。指示入力エリアは、指示入力受付画面を表示して、例えば、描画に用いる線種、色、色合い、鮮やかさ、明るさ、グラデーションの度合などといった、描画に関する種々の指示入力（パラメータの入力）を受け付けるエリアである。指示入力エリアは、色の選択なども行うことから、パレット部などと呼ばれる場合もある。【０００４】
そして、描画エリアと指示入力エリアが１つの表示画面内に設けられるため、描画エリアでの描画中に、電子ペンが誤って指示入力エリアに入ってしまった場合には、意図しない指示入力が行われてしまう場合がある。このような問題に対応するため、後に記す特許文献１には、電子ペンが描画エリアから連続して指示入力エリアに至った場合には、指示入力エリアに対する指示入力を無効とする座標入力制御方法に関する発明が開示されている。
【先行技術文献】
【特許文献】
【０００５】
【特許文献１】特開２００５−１１２３３号公報
【発明の概要】
【発明が解決しようとする課題】
【０００６】
比較的に大きな表示画面の表示デバイスを有するタブレットＰＣであっても、当該装置の表示画面に描画エリアと指示入力エリアとの両方を設けると、描画エリアは小さくならざるを得ない。近年においては、コンピュータの性能向上に伴い、表示画面のサイズが８インチ〜１１インチ程度の小型の表示デバイスを備えた小型のタブレットＰＣで描画ソフトウェアを実行し、細かな描画を行う場合も多い。【０００７】
この場合、描画エリアはとても小さくなる。描画エリアが小さいと、細かな画像を描画する場合などにおいて、描画した画像の拡大縮小の繰り返しが生じ、作業効率が極度に悪くなることが考えられる。このため、できるだけ描画エリアを大きくしたいとする要求がある。その一方で、指示入力エリアに対する指示入力も適切なタイミングで適切に行えなければならない。線種や色の変更などは適宜のタイミングで行えなければ、使用者の意図に応じて柔軟に描画を行うことができない。【０００８】
以上のことに鑑み、大きな描画エリアを確保できると共に、指示入力エリアに対する指示入力も適切なタイミングで受け付けて、これに応じた描画を行えるようにする描画システムを提供することを目的とする。
【課題を解決するための手段】
【０００９】
上記課題を解決するため、
第１の表示デバイスと前記第１の表示デバイスの表示画面に対応する第１の位置検出センサとを備えた第１の端末装置と、第２の表示デバイスと前記第２の表示デバイスの表示画面に対応する第２の位置検出センサとを備えた第２の端末装置とが通信可能に接続されて構成される描画システムであって、
前記第１の端末装置は、
前記第２の端末装置から送信されて来る指示情報を取得する指示情報取得部と
前記第１の表示デバイスの前記表示画面を描画エリアとし、前記指示情報取得部を通じて取得した前記指示情報に応じると共に、前記第１の位置検出センサを通じて受け付ける描画操作入力に応じて前記描画エリアに描画を行うようにする描画処理部と、
を備え、
前記第２の端末装置は、
前記第２の表示デバイスの前記表示画面を指示入力エリアとし、前記指示入力エリアに指示入力受付画面を表示する受付画面表示処理部と、
前記指示入力エリアに表示された前記指示入力受付画面と前記第２の位置検出センサとを通じて受け付けた前記指示情報を、前記第１の端末装置に送信するようにする指示情報提供部と
を備えた描画システムを提供する。【００１０】
この描画システムによれば、第１の端末装置と第２の端末装置とが通信可能に接続されて構成され、第１の端末装置の表示デバイスの表示画面が描画エリア専用とされ、第２の端末装置の表示デバイスの表示画面が指示入力エリア専用とされる。そして、第１の端末装置では、第２の端末装置からの指示情報に応じると共に、第１の位置検出センサを通じて受け付ける描画操作入力に応じて第１の表示デバイスの表示画面に設けられる描画エリアに描画が行われる。
【図面の簡単な説明】
【００１１】
【図１】実施の形態の描画システムの外観の例を説明するための図である。
【図２】実施の形態の第１、第２の端末装置の基本構造を説明するための分解構成図である。
【図３】第１の実施の形態の第１の端末装置の構成例を説明するためのブロック図である。
【図４】第１の実施の形態の第２の端末装置の構成例を説明するためのブロック図である。
【図５】第１の実施の形態の第１の端末装置と第２の端末装置の動作の概要について説明するための図である。
【図６】第１の実施の形態の第１の端末装置で行われる処理と第２の端末装置で行われる処理につい説明するためのフローチャートである。
【図７】第２の実施の形態の第１の端末装置の構成例と第２の端末装置の構成例を説明するためのブロック図である。
【図８】第２の実施の形態の第１の端末装置と第２の端末装置の動作の概要について説明するための図である。
【図９】第２の実施の形態の第１の端末装置で行われる処理と第２の端末装置で行われる処理につい説明するためのフローチャートである。
【図１０】第３の実施の形態の第１の端末装置の構成例と第２の端末装置の構成例を説明するためのブロック図である。
【図１１】第３の実施の形態の第１の端末装置と第２の端末装置の動作の概要について説明するための図である。
【図１２】第３の実施の形態の第１の端末装置で行われる処理と第２の端末装置で行われる処理の動作につい説明するためのフローチャートである。
【図１３】第２の端末装置の使用者の身体への装着の例について説明するための図である。
【図１４】電子ペン識別情報を用いた認証処理を行う描画システムの構成例を説明するためのブロック図である。
【発明を実施するための形態】
【００１２】
以下、図を参照しながら、この発明の描画システムの実施の形態について説明する。以下においては、３つの実施の形態について説明するが、まず、それらの３つの実施の形態の描画システムで共通する描画システムの外観と、描画システムを構成する端末装置の基本構造について説明する。
【００１３】
［描画システムの外観］
図１は、実施の形態の描画システムの外観の例を説明するための図である。図１に示すように、当該描画システムは、第１の端末装置１と第２の端末装置２とにより構成される。第１の端末装置１は、表示画面のサイズが例えば８インチ〜１２インチ程度の薄型の表示デバイスと、当該表示画面に対応し電子ペンなどの指示体による指示位置を検出する位置検出センサとを備えた、タブレットＰＣなどとして実現される。
【００１４】
第２の端末装置２は、表示画面のサイズが例えば４インチ〜６インチ程度の薄型の表示デバイスと、当該表示画面に対応し電子ペンなどの指示体による指示位置を検出する位置検出センサとを備えたものである。具体的には、スマートホンなど呼ばれる高機能携帯電話端末や第１の端末装置１より小型のタブレットＰＣなどとして実現される。
【００１５】
第１の端末装置１と第２の端末装置２とは、近距離無線通信機能により通信路を接続し、相互に通信を行うことができる。近距離無線通信機能の規格には種々のものがあり、当該描画システムにおいても、種々の規格の近距離無線通信機能を用いることが可能である。しかし、以下においては説明を簡単にするため、第１の端末装置１と第２の端末装置２との間では、広く一般に利用されているＢｌｕｒｔｏｏｔｈ（登録商標）規格の近距離無線通信機能が用いられるものとして説明する。
【００１６】
第１の端末装置１は、描画ソフトウェア（以下、描画ソフトと記載する。）を搭載し、これを実行することによって、図１に示したように表示画面１１５Ｄに描画エリアＲ１と指示入力エリアＲ２とを設けて使用者からの入力を受け付けることができる。描画エリアＲ１は、電子ペンによる描画入力を受け付けて、これに応じた描画像を表示するエリアである。また、指示入力エリアは、指示入力受付画面を表示して、例えば線種や色の選択といった描画に関する種々の指示入力（パラメータの入力）を受け付けるエリアである。
【００１７】
第１の端末装置１は、描画エリアＲ１と指示入力エリアＲ２とに対する使用者からの操作入力を受け付け、描画エリアＲ１に使用者の指示に応じた画像を描画できる。すなわち、この明細書において、描画ソフトは、ポインティングデバイス（主に電子ペン）を用いて、コンピュータ上で画像を描く２次元コンピュータグラフィックスのアプリケーションである。
【００１８】
しかし、第１の端末装置１の表示画面１１５Ｄのサイズは、８インチ〜１２インチと小さい。このため、図１に示すように、指示入力エリアＲ２を設けることにより、描画エリアＲ１が小さくなってしまい、描画作成時の作業効率が悪くなる。近年においては、スマートホンや小型のタブレットＰＣが広く普及している。描画装置としての第１の端末装置の使用者であっても、スマートホンや小型のタブレットＰＣを所持している場合が多い。
【００１９】
そこで、第１の端末装置１に加えて、第２の端末装置２を利用することによって１つの描画システムを構成する。当該描画システムにおいては、第１の端末装置１の表示画面１１５Ｄの全面を描画エリアとして用い、第２の端末装置２の表示画面２１５Ｄの全面を指示入力エリアとして用いる。すなわち、従来は１つの端末装置の表示画面内設けていた描画エリアＲ１と指示入力エリアＲ２とのそれぞれを、第１の端末装置１と第２の端末装置２とのそれぞれに別々に設ける。
【００２０】
これにより、指示入力エリアが描画エリアを圧迫して、描画エリアを狭くしないようにできる。そして、第２の端末装置２の表示画面２１５Ｄに設けられた指示入力エリアを通じて受け付けた指示情報を、第１の端末装置１に対して無線通信を通じて提供する。第１の端末装置１では、第２の端末装置からの指示情報と、自機の表示画面１１５Ｄの全面に設けられる描画エリアに対する使用者からの指示入力とに応じて、描画を行うことができるようにしている。
【００２１】
［第１、第２の端末装置の基本構造］
図２は、第１、第２の端末装置の基本構造を説明するための分解構成図である。図１に示したように、第１の端末装置１と第２の端末装置２とは、大きさは異なるものの、いずれも薄型の表示デバイスと位置検出センサとが搭載され、平板状の外形を有するものであり、基本構造は同様のものである。このため、ここでは第１の端末装置１の場合を例にして、第１の端末装置１と第２の端末装置２の基本構造について説明する。なお、図２において、括弧内の参照符号は、第２の端末装置２についてのものである。
【００２２】
図２に示すように、第１の端末装置１は、筐体１０内に、下から順に、回路基板１００、第１のセンサ１１１、表示デバイス１１５、第２のセンサ１１３が収納され、これらがフロントパネル２０によって筐体１０内に封入される。フロントパネル２０の点線で示した内側には、例えば透明の強化ガラスが嵌め込まれており、表示デバイス１１５の表示画面の全体が観視できるようになっている。また、フロントパネル２０の強化ガラス面上が操作面となり、第２のセンサ１１３などを傷つけることなく、第１のセンサ１１１や第２のセンサ１１３に対する指示体による指示操作を行うことができる。
【００２３】
回路基板１００は、制御回路、表示制御回路、第１のセンサ用の位置検出回路、第２のセンサ用の位置検出回路、近距離無線通信回路、半導体メモリなどの種々の電子回路や電子部品などが搭載されたものである。第１のセンサ１１１は、電磁誘導方式のものである。表示デバイス１１５は、例えば、薄型の表示素子であるＬＣＤ（Liquid Crystal Display）や種々のフィルタやバックライトなどを含むものである。第２のセンサ１１３は、静電容量方式のものである。すなわち、第１の端末装置１は、表示デバイス１１５を挟んで、異なる方式の位置検出センサが設けられている。
【００２４】
電磁誘導方式の第１のセンサ１１１は、Ｘ軸方向とＹ軸方向とのそれぞれに複数のループコイルが配設されて構成されたものである。そして、第１のセンサ１１１の複数のループコイルに順次に電力を供給して磁界を発生させる送信期間と、電力の供給を停止し外部からの磁界を受信する受信期間とを交互に設ける。対応する電磁誘導方式の電子ペンは、コイルとコンデンサとからなる共振回路を備えており、第１のセンサ１１１からの磁界に応じて、当該コイルに電流が流れることにより信号を発生させ、この信号に筆圧情報を含めて第１のセンサ１１１に送信する。これを第１のセンサ１１１が受信期間において受信して、第１のセンサ用の位置検出回路に供給し、電子ペンによる指示位置と筆圧が検出される。
【００２５】
静電容量方式の第２のセンサ１１３は、Ｘ軸方向とＹ軸方向とのそれぞれに複数の線状導体（ライン電極）が配設されたものである。そして、第２のセンサ１１３においては、指や静電ペン（導電性を有するペン型の位置指示器）が近づけられることによって、線状導体に静電容量（電荷）の変化が生じ、これが第２のセンサ用の位置検出回路に供給されて、指示位置が検出される。なお、静電ペンには、バッテリで駆動され、信号を送出するいわゆるアクティブ静電ペンと呼ばれるものもある。しかし、第２のセンサ１１３は、主に、指または単に導電性を有する静電ペンにより操作されるものである。
【００２６】
第１のセンサ１１１と第２のセンサ１１３のそれぞれは、表示デバイス１１５の表示画面の全面に対応しており、当該表示画面上のどの位置を指示しても、その指示位置を検出することができるようになっている。このように、第１の端末装置１は、第１のセンサ１１１を通じて電磁誘導方式の電子ペンを用いた指示入力を受け付けることも可能であるし、第２のセンサ１１３を通じて、指や静電ペンによる指示入力を受け付けることも可能なものである。特に、電磁誘導方式の電子ペンを用いることにより、より細かに位置を指示することができ、また、当該電子ペンにかけられる筆圧を検出して第１のセンサ１１１に送信することができるので、きめ細かな描画を行うことができる。
【００２７】
［第１の実施の形態］
＜第１の端末装置１の構成例＞
図３は、第１の実施の形態の第１の端末装置１の構成例を説明するためのブロック図である。第１の端末装置１は、点線で囲んで示したように、ユーザインターフェース部１１０と、描画処理部１２０と、制御部１３０と、コネクション部１４０と、パネル連携部１５０とを備える。
【００２８】
ユーザインターフェース部１１０は、使用者からの指示入力を受け付けたり、使用者に対して情報を提供したりする部分である。図３に示したように、ユーザインターフェース部１１０は、第１のセンサ１１１と、第１の位置検出回路１１２と、第２のセンサ１１３と、第２の位置検出回路１１４と、表示デバイス１１５と、表示制御回路１１６とを備える。
【００２９】
第１のセンサ１１１は、Ｘ軸方向ループコイル群とＹ軸方向ループコイル群を備えた電磁誘導方式の位置検出センサであり、第１の位置検出回路１１２は、第１のセンサ用の位置検出回路である。第１の位置検出回路１１２は、第１のセンサ１１１のＸ軸方向及びＹ軸方向のループコイルについて、順次に切り替えながら、電力供給して信号（磁界）を発生させる送信期間と、電力供給を停止して電子ペンからの信号（磁界）を受信する受信期間とを設けることができる。
【００３０】
第１の位置検出回路１１２は、受信期間においては、電子ペンからの信号を受信したループコイルの位置に応じて、電子ペンによる指示位置を検出し、検出結果を制御部１３０などに通知することができる。また、電子ペンからの信号には筆圧に関する情報も含まれている。このため、第１の位置検出回路１１２は、受信した電子ペンからの信号から筆圧情報も検出して検出結果を制御部１３０などに通知することができる。
【００３１】
第２のセンサ１１３は、Ｘ軸方向線状導体群とＹ軸方向線状導体群を備えた静電容量方式の位置検出センサであり、第２の位置検出回路１１４は、第２のセンサ用の位置検出回路である。第２の位置検出回路１１４は、第２のセンサ１１３のＸ軸方向及びＹ軸方向の線状導体に生じる静電容量に基づいて、指や静電ペンによる指示位置を検出し、検出結果を制御部１３０などに通知する。
【００３２】
表示デバイス１１５は、ＬＣＤ、種々のフィルタ、バックライトなどを備えたものである。表示制御回路１１６は、制御部１３０の制御の下、表示デバイス１１５の表示画面に種々の情報を表示したり、表示した情報を消去したりするなどの処理を行う。
【００３３】
描画処理部１２０は、使用者からの指示に応じて第１の端末装置１において描画する機能を実現する。描画処理部１２０は、描画用画像メモリ１２１と、描画パラメータメモリ１２２と、描画処理回路１２３とを備える。描画用画像メモリ１２１は、表示デバイス１１５の表示画面に対応するメモリ（ＶＲＡＭ）であり、使用者の指示に応じて描画された画像を形成する画像データを記憶保持する。描画パラメータメモリ１２２は、指示入力エリアに表示される指示入力受付画面を通じて受け付けた、線種、色などの種々の描画に関する設定情報（パラメータ情報）を記憶保持する。
【００３４】
描画処理回路１２３は、描画パラメータメモリ１２２に記憶保持されたパラメータに基づいて、第１のセンサ１１１を通じて受け付けた指示入力に応じた画像を、描画用画像メモリ１２１に形成する処理を行う。また、描画処理回路１２３は、描画用画像メモリ１２１に形成された画像について、第１のセンサ１１１を通じて受け付けた指示入力に応じて消去する処理も行える。この場合の画像の消去は、描画された画像の一部分の消去ができるようにされる。
【００３５】
制御部１３０は、第１の端末装置１の各部を制御する機能を実現する部分であり、制御回路１３１と記憶装置１３２とを備える。制御回路１３１は、図示しないが、ＣＰＵ（Central Processing Unit）、ＲＯＭ（Read Only Memory）、ＲＡＭ（Random Access Memory）、不揮発性メモリなどを備えたものである。制御回路１３１は、種々のソフトウェアを実行し、各部を制御して、第１の端末装置１が備える種々の機能を実現する。記憶装置１３２は、例えば、比較的に大容量の半導体メモリと、そのドライバとからなり、当該半導体メモリへの情報の書き込み、削除、変更、当該半導体メモリからの情報の読み出しを行う。記憶装置１３２は、種々のアプリケーションソフトウェアや処理に必要になる情報、使用者が作成した情報などを記憶保持する他、処理の途中経過を保持する作業領域としても用いられる。
【００３６】
コネクション部１４０は、近距離無線通信機能を実現する部分であり、近距離無線通信回路１４１及び近距離無線通信アンテナ１４１Ａと、近接判定回路１４２とからなる。近距離無線通信回路１４１及び近距離無線通信アンテナ１４１Ａは、Ｂｌｕｒｔｏｏｔｈ（登録商標）規格の近距離無線機能を実現する。近接判定回路１４２は、近距離無線通信回路１４１の状態や受信した情報に基づいて、第２の端末装置２が近接し、近距離無線通信回路１４１及び近距離無線通信アンテナ１４１Ａを通じて通信路を接続して通信が可能になったか否かを判定する。
【００３７】
パネル連携部１５０は、第２の端末装置２と連携し、第２の端末装置２に指示入力エリアを設け、第２の端末装置において受け付けた指示情報の提供を受けるようにする機能を実現する。パネル連携部１５０は、パネルデータ提供回路１５１と指示情報取得回路１５２を備える。パネルデータ提供回路１５１は、第２の端末装置２が第１の端末装置に近接し、通信路が接続され通信が可能になったと近接判定回路１４２で判定された場合に機能する。
【００３８】
パネルデータ提供回路１５１は、第２の端末装置２の表示画面２１５Ｄを指示入力エリアとし、使用者から指示入力を受け付け、受け付けた指示情報を第１の端末装置に送るようにするためのパネルデータ（画面等情報）を第２の端末装置２に提供するものである。当該パネルデータは、第２の端末装置２の表示画面２１５Ｄに表示する指示入力受付画面を形成する画像データや当該指示入力受付画面を通じて使用者から指示入力を受け付けて、第１の端末装置に送信する処理を行うソフトウェアなどからなる。当該パネルデータは、近距離無線通信回路１４１及び近距離無線通信アンテナ１４１Ａを通じて、第２の端末装置２に提供される。
【００３９】
指示情報取得回路１５２は、近距離無線通信アンテナ１４１Ａ及び近距離無線通信回路１４１を通じて受信する第２の端末装置２からの描画に関する指示情報（パラメータ）を取得して、描画パラメータメモリ１２２に記録する処理を行う。第２の端末装置２からの指示情報は、上述したように、第１の端末装置１のパネルデータ提供回路１５１の機能により、第２の端末装置２に提供され、表示画面２１５Ｄに表示される指示情報入力画面を通じて受け付けた指示入力に応じた指示情報である。
【００４０】
第１の端末装置１に電源が投入されると、制御回路１３１は、記憶装置１３２に記憶保持されている情報に基づいて、実行可能なソフトウェアに対応したアイコンを、表示制御回路１１６を通じて表示デバイス１１５の表示画面１１５Ｄに表示する。制御回路１３１は、第２のセンサ１１３及び第２の位置検出回路１１４を通じて、アイコンの選択入力を受け付け、選択されたアイコンの対応するソフトウェアを実行し、使用者が目的とする処理を行えるようにする。
【００４１】
また、第１の実施の形態の第１の端末装置１においては、制御回路１３１の制御の下、コネクション部１４０とパネル連携部１５０とが機能することによって、第２の端末装置２と連携し、描画ソフトを実行して描画機能を実現できる。第１の端末装置１と第２の端末装置２とが連携して実現される描画機能の詳細については後述する。
【００４２】
＜第２の端末装置２の構成例＞
図４は、第１の実施の形態の第２の端末装置２の構成例を説明するためのブロック図である。第２の端末装置２は、点線で囲んで示したように、ユーザインターフェース部２１０と、描画処理部２２０と、制御部２３０と、コネクション部２４０と、パネル連携部２５０とを備える。
【００４３】
第２の端末装置２のユーザインターフェース部２１０、描画処理部２２０、制御部２３０、コネクション部２４０は、第１の端末装置１の名称が同一の対応する構成部分と同様に構成されたものである。このため、第２の端末装置２のこれらの各部についての説明は重複するので省略する。ただし、第２の端末装置の第１のセンサ２１１、第２のセンサ２１３、表示デバイス２１５は、第１の端末装置の第１のセンサ１１１、第２のセンサ１１３、表示デバイス１１５とは、サイズが異なるものである。
【００４４】
また、第２の端末装置２のパネル連携部２５０は、第１の端末装置１のパネル連携部１５０とは異なる構成を有する。第２の端末装置２のパネル連携部２５０は、パネルデータ取得回路２５１と、指示情報提供回路２５２とを備える。パネルデータ取得回路２５１は、第１の端末装置１から送信され、近距離無線通信アンテナ２４１Ａ及び近距離無線通信回路２４１を通じて受信されるパネルデータを取得する。パネルデータ取得回路２５１は、取得したパネルデータを例えば記憶装置２３２に格納する。
【００４５】
パネルデータ取得回路２５１により、例えば記憶装置２３２に格納されたパネルデータの内、指示入力を受け付けるようにするソフトウェアが制御回路２３１において実行される。これにより、指示入力受付画面を表示するための情報が、制御回路２３１の制御により、表示制御回路２１６に供給され、表示デバイス２１５の表示画面２１５Ｄに指示入力受付画面が表示される。そして、表示画面２１５Ｄに表示された指示入力受付画面と、第１のセンサ２１１及び第１の位置検出回路２１２あるいは第２のセンサ２１３及び第２の位置検出回路２１４とを通じて、使用者からの指示入力を受け付けることができるようにされる。
【００４６】
指示情報提供回路２５２は、表示デバイス２１５の表示画面２１５Ｄに表示された指示入力受付画面と、第１のセンサ２１１及び第１の位置検出回路２１２とを通じて受け付けた指示入力に応じた指示情報を、第１の端末装置１に送信する処理を行う。この場合、指示情報は、近距離無線通信回路２４１及び近距離無線通信アンテナ２４１Ａを通じて、第１の端末装置１に対して送信するようにされる。
【００４７】
なお、通常、使用者は描画に用いる電子ペンを用いて、指示入力受付画面に対して操作を行う場合が多いと考えられ、この場合には、指示入力受付画面と電磁誘導方式の第１のセンサ２１１及び第１の位置検出回路２１２を通じて指示入力を受け付ける。しかし、使用者が指などを表示画面２１５Ｄ上に接触させるようにした場合には、指示入力受付画面と静電誘導方式の第２のセンサ２１３及び第２の位置検出回路２１４とを通じて指示入力を受け付けることももちろんできる。
【００４８】
従って、第１の実施の形態の第２の端末装置２では、制御回路２３１の制御の下、コネクション部２４０とパネル連携部２５０とが機能することにより、第１の端末装置１と連携し、第１の端末装置１で実行される描画ソフトに応じた描画機能を実現できる。
【００４９】
また、第２の端末装置２においても、電源が投入されると制御回路２３１が、記憶装置２３２に記憶保持されている情報に基づいて、実行可能なソフトウェアに対応したアイコンを、表示制御回路２１６を通じて表示デバイス２１５の表示画面２１５Ｄに表示する。制御回路２３１は、第２のセンサ２１３及び第２の位置検出回路２１４を通じて、アイコンの選択入力を受け付け、選択されたアイコンの対応するソフトウェアを実行し、使用者が目的とする処理を行える。
【００５０】
＜第１の実施の形態の描画システムの動作の概要＞
図５は、第１の実施の形態の描画システムを構成する第１の端末装置１と第２の端末装置２の動作の概要について説明するための図である。図５（Ａ）に示すように、第１の端末装置１には、描画ソフトが搭載されている。この描画ソフトには、第２の端末装置２に提供するためのパネルデータも含まれている。図５（Ａ）に示したように、第１の端末装置１と第２の端末装置２とのそれぞれに電源が投入された状態で、これらの端末装置が距離的に離れているために近距離無線通信機能により無線通信ができない状態にあるとする。この場合には、第１の端末装置１と第２の端末装置２とは、それぞれ独立に機能する。
【００５１】
電源が投入された状態の第１の端末装置１と第２の端末装置２とが、図５（Ａ）において点線矢印で示したように近づくようにされたとする。そして、図５（Ｂ）に示すように、第１の端末装置１と第２の端末装置２とが近接し、近距離無線通信により相互に無線通信ができる状態になったとする。この場合、図５（Ｂ）に示すように、第１の端末装置１では、描画ソフトが起動（実行）され、パネルデータが第２の端末装置２に送信される。第２の端末装置２は、第１の端末装置１からのパネルデータを受信して、これを利用する。
【００５２】
これにより、図５（Ｃ）に示すように、第１の端末装置１では、描画ソフトの機能によって、表示デバイス１１５の表示画面１１５Ｄの全面が描画エリアとされ、当該描画エリアを通じて、描画入力を行うことができるようにされる。第２の端末装置２では、第１の端末装置１からのパネルデータの機能により、表示デバイス２１５の表示画面２１５Ｄの全面が指示入力エリアとされ、ここに指示入力受付画面が表示されて使用者からの指示入力を受け付けることができるようにされる。
【００５３】
第２の端末装置２の表示画面２１５Ｄに表示された指示入力受付画面と第１のセンサ２１１及び第１の位置検出回路２１２を通じて受け付けた指示情報は、指示情報提供回路２５２が機能して、第１の端末装置１に送信される。第２の端末装置２からの指示情報は、線種や色などの描画に関する種々のパラメータであり、第１の端末装置１では、第２の端末装置２からの指示情報を取得し、これに応じて描画エリアに描画することができるようにされる。
【００５４】
＜第１の実施の形態の第１の端末装置１と第２の端末装置２の処理＞
図６は、第１の実施の形態の第１の端末装置１で行われる処理と第２の端末装置２で行われる処理のそれぞれについ説明するためのフローチャートである。第１の端末装置１は、電源が投入され、何のソフトウェアも実行されていない状態にあるときには、図６（Ａ）に示す処理を実行する。同様に、第２の端末装置２は、電源が投入され、何のソフトウェアも実行されていない状態にあるときには、図６（Ｂ）に示す処理を実行する。
【００５５】
第１の端末装置１では、近距離無線通信回路１４１が、接続要求信号の送受信を行うようにし、近接判定回路１４２が、外部機器からの接続要求信号の受信状況に基づき、第２の端末装置２が近接しているか否かを判定する処理を行う（ステップＳ１０１）。ステップＳ１０１の判定処理は、第２の端末装置２が近接していると判定されるか、あるいは、なんらかのソフトウェアが実行されたり、電源をオフする操作がされたりするといった所定の終了事象が発生するまで継続して行われる。
【００５６】
ステップＳ１０１の判定処理が終了した場合には、制御回路１３１は、近接判定回路１４２からの検出出力に基づいて、第２の端末装置２が近接したか否かを判別する（ステップＳ１０２）。ステップＳ１０２の判別処理において、第２の端末装置２は近接していないと判別した場合には、所定の終了事象が発生した状態であるので、制御回路１３１は、図６（Ａ）に示す処理を終了して、次の実行タイミングを待つことになる。また、ステップＳ１０２の判別処理において、第２の端末装置２が近接していると判別した場合には、制御回路１３１は、近距離無線通信回路１４１を制御し、第２の端末装置２と近距離無線通信を行って通信路を接続する処理を行う（ステップＳ１０３）。
【００５７】
同様に、第２の端末装置２では、近距離無線通信回路２４１が、接続要求信号の送受信を行うようにし、近接判定回路２４２が、外部機器からの接続要求信号の受信状況に基づき、第１の端末装置１が近接しているか否かを判定する処理を行う（ステップＳ２０１）。ステップＳ２０１の判定処理は、ステップＳ１０１の処理と同様に、第１の端末装置１が近接していると判定されるか、あるいは、なんらかのソフトウェアが実行されたり、電源をオフする操作がされたりするといった所定の終了事象が発生するまで継続される。
【００５８】
ステップＳ２０１の判定処理が終了した場合には、制御回路１３１は、近接判定回路２４２からの検出出力に基づいて、第１の端末装置１が近接したか否かを判別する（ステップＳ２０２）。ステップＳ２０２の判別処理において、第１の端末装置１は近接していないと判別した場合には、所定の終了事象が発生した状態であるので、制御回路２３１は、図６（Ｂ）に示す処理を終了して、次の実行タイミングを待つことになる。また、ステップＳ２０２の判別処理において、第１の端末装置１が近接していると判別した場合には、制御回路２３１は、近距離無線通信回路２４１を制御し、第１の端末装置１と近距離無線通信を行って通信路を接続する処理を行う（ステップＳ２０３）。
【００５９】
これにより、第１の端末装置１は近距離無線通信回路１４１及び近距離無線通信アンテナ１４１Ａを通じて、第２の端末装置２は近距離無線通信回路２４１及び近距離無線通信アンテナ２４１Ａを通じて、相互に近距離無線通信による無線通信が可能になる。
【００６０】
ステップＳ１０３の処理の後、第１の端末装置１では、制御回路１３１において描画ソフトを起動し、表示デバイス１１５の表示画面１１５Ｄの全面を描画エリアとして、使用者からの描画入力を受付可能にする（ステップＳ１０４）。すなわち、ステップＳ１０４の処理の後においては、第１の端末装置１は、使用者の指示入力に応じた描画が可能な状態に遷移する。これにより、第１の端末装置１では、第１のセンサ１１１及び第１の位置検出回路１１２を通じて、使用者による電子ペンを用いた描画入力（位置指示入力）受け付けて、これに応じた描画像を表示デバイス１１５の表示画面１１５Ｄに表示できるようにされる。更に、第１の端末装置１では、制御回路１３１の制御の下、パネルデータ提供回路１５１が機能し、近距離無線通信により第２の端末装置２に対してパネルデータを送信する（ステップＳ１０５）。
【００６１】
第２の端末装置２においては、第１の端末装置１からのパネルデータを受信し、これをパネルデータ取得回路２５１が取得して、これを用いて表示デバイス２１５の表示画面２１５Ｄに指示入力受付画面を表示して、指示入力を受付可能する（ステップＳ２０４）。すなわち、ステップＳ２０４の処理の後においては、第２の端末装置２は、使用者の指示入力に応じた指示情報の受付が可能な状態に遷移する。この場合、第２の端末装置２の表示デバイス２１５の表示画面２１５Ｄの全面が指示入力エリアとなって、ここに指示入力受付画面が表示される。そして、表示画面２１５Ｄに表示された指示入力受付画面と、第１のセンサ２１１及び第１の位置検出回路２１２あるいは第２のセンサ２１３及び第２の位置検出回路２１４とを通じて、使用者からの指示入力を受け付けることができるようにされる。
【００６２】
この後、第２の端末装置２の制御回路２３１は、指示情報提供回路２５２を制御して、指示情報提供処理を実行する（ステップＳ２０５）。このステップＳ２０５の処理は、描画に関する指示入力を受け付けた時には、指示情報提供回路２５２が機能して、第１の端末装置１に提供する指示情報を形成し、これを無線送信した後に次のステップに進む処理となる。また、ステップＳ２０５の処理は、描画に関する指示入力を受け付けていないときには、何もせずに次のステップに進む処理となる。
【００６３】
一方、第１の端末装置１では、制御回路１３１が指示情報取得回路１５２を制御して、指示情報の取得設定処理を行う（ステップＳ１０６）。このステップＳ１０６の処理は、描画に関する指示情報を取得した時には、指示情報取得回路１５２が機能して、取得した指示情報を描画パラメータメモリ１２２に格納（設定）する処理を行う。また、ステップＳ１０６の処理は、第２の端末装置からの指示情報を取得していないときには、何もせずに次のステップに進む処理となる。
【００６４】
第２の端末装置２からの指示情報は、上述もしたように、例えば線種や色彩などの描画に関するパラメータである。このため、指示情報が、描画パラメータメモリ１２２に設定されることにより、当該指示情報に応じて、描画を行うことができるようにされる。従って、指示情報が例えば線種や色彩に関するものである場合には、指示された線種、指示された色彩で描画を行うことができるようにされる。
【００６５】
この後、第１の端末装置１において、制御回路１３１は、描画ソフトの実行を終了させる所定の操作が行われるなどの終了事象が発生したか否かを判別する（ステップＳ１０７）。ステップＳ１０７の判別処理において、終了事象は発生していないと判別した時には、ステップＳ１０６からの処理を繰り返すようにし、使用者からの描画入力を継続して受け付けるようにする。また、ステップＳ１０７の判別処理において、終了事象が発生したと判別した時には、ステップＳ１０３で接続した通信路を解放したり、表示画面の表示画像を描画ソフト実行前の状態に戻したりするなどの終了処理を行う（ステップＳ１０８）。この後、図６（Ａ）に示した処理を終了する。
【００６６】
一方、第２の端末装置２においても、ステップＳ２０５の処理の後において、制御回路２３１は、指示入力受付画面を通じて指示入力の受付を終了させる所定の操作が行われるなどの終了事象が発生したか否かを判別する（ステップＳ２０６）。ステップＳ２０６の判別処理において、終了事象は発生していないと判別した時には、ステップＳ２０５からの処理を繰り返すようにし、使用者からの指示入力の受付を継続して行えるようにする。また、ステップＳ２０６の判別処理において、終了事象が発生したと判別した時には、ステップＳ２０３で接続した通信路を解放したり、表示画面の表示画像を指示入力受付画面の表示前の状態に戻したりするなどの終了処理を行う（ステップＳ２０７）。この後、図６（Ｂ）に示した処理を終了する。
【００６７】
このように、第１の端末装置１の表示画面１１５Ｄの全面を描画エリアとすることができる。また、第２の端末装置２の表示画面２１５Ｄの全面を指示入力エリアとして、指示入力受付画面を表示し、描画に関する指示入力を受け付け、受け付けた指示入力に応じた指示情報を第１の端末装置に送信して提供できる。これにより、大きな描画エリアを確保して、描画の拡大縮小を繰り返さなくても、適切に描画入力を行うようにすることができる。しかも、第２の端末装置２側で、線種や色彩といった描画に関する指示入力を受け付けて、これに応じた指示情報（パラメータ情報）を、第１の端末装置に提供できる。これにより、第１の端末装置１と第２の端末装置２とからなる描画システムを用いても、使用者の意図した描画を適切に行うことができる。
【００６８】
［第２の実施の形態］
＜第１の端末装置１Ａと第２の端末装置２Ａの構成例＞
第２の実施の形態の描画システムもまた、図１を用いて説明した第１の実施の形態の描画システムと同様に第１の端末装置と第２の端末装置との２つの端末装置により構成される。具体的には、タブレットＰＣなどとして実現される第１の端末装置１Ａと、スマートホンや小型のタブレットＰＣなどとして実現される第２の端末装置２Ａとにより構成される。そして、この第２の実施の形態の第１の端末装置１Ａ及び第２の端末装置２Ａは、いずれも図２を用いて説明した基本構造を有する平板状（薄い型）のものである。
【００６９】
但し、第１の実施の形態の第１の端末装置１及び第２の端末装置２と、以下に説明する第２の実施の形態の第１の端末装置１Ａ及び第２の端末装置２Ｂとは、実行されるソフトウェアやパネル連携部の構成が異なっている。図７は、第２の実施の形態の第１の端末装置１Ａの構成例と第２の端末装置２Ａの構成例とを説明するためのブロック図である。図７の上側に示した第１の端末装置１Ａにおいて、図３を用いて説明した第１の実施の形態の第１の端末装置１と同様に構成される部分には同じ参照符号を付し、当該部分の詳細な説明については省略する。同様に、図７の下側に示した第２の端末装置２Ａにおいて、図４を用いて説明した第１の実施の形態の第２の端末装置２と同様に構成される部分には同じ参照符号を付し、当該部分の詳細な説明については省略する。
【００７０】
図７の上側に示した第１の端末装置１Ａの制御部１３０は、第１の実施の形態の第１の端末装置１と同様に描画ソフト実行部としても機能する。ただし、第１の端末装置１Ａの制御部１３０において実行される描画ソフトは、第１の実施の形態の第１の端末装置１で用いられた描画ソフトとは異なり、パネルデータを第２の端末装置２Ａに提供する機能は備えないものである。このため、第２の実施の形態の第１の端末装置１Ａのパネル連携部１５０Ａは、指示情報取得回路１５２Ａだけを備え、パネルデータ提供回路は備えないものとなっている。
【００７１】
図７の下側に示した第２の端末装置２Ａの制御部２３０は、指示入力受付画面を表示画面２１５Ｄに表示して、使用者からの指示入力を受け付けるようにするパネルソフトの実行部として機能する。このため、この第２の実施の形態の第２の端末装置２Ａは、第１の端末装置１Ａからパネルデータの提供を受ける必要はない。従って、第２の実施の形態の第２の端末装置２Ａのパネル連携部２５０Ａは、指示情報提供回路２５２Ａだけを備え、パネルデータ取得回路は備えないものである。すなわち、この第２の実施の形態の描画システムの場合には、パネルデータは第２の端末装置２Ａが備えている構成になっている。
【００７２】
＜第２の実施の形態の描画システムの動作の概要＞
図８は、第２の実施の形態の描画システムを構成する第１の端末装置１Ａと第２の端末装置２Ａの動作の概要について説明するための図である。図８（Ａ）に示すように、第１の端末装置１Ａには、描画ソフトが搭載されている。当該描画ソフトは、第１の実施の形態の第１の端末装置１に搭載されていた描画ソフトとは若干異なる。当該描画ソフトは、第１の端末装置１Ａの表示画面１１５Ｄの全面を描画エリアとして描画を行えるようにするものであるが、第２の端末装置２Ａに対して、パネルデータを提供する機能は備えていないものである。
【００７３】
一方、第２の端末装置２Ａには、パネルソフトが搭載されている。当該パネルソフトは、指示入力受付画面を形成する画像データを含む。また、当該パネルソフトは、第２の端末装置２Ａの表示画面２１５Ｄの全面を指示入力エリアとし、ここに指示入力受付画面を表示して、第１のセンサ２１１や第２のセンサ２１３を通じて使用者からの指示入力を受け付けるように機能するソフトウェアを含む。なお、第１の実施の形態の描画システムの場合と同様に、使用者からの指示情報は、指示入力受付画面と、第２のセンサ２１３及び第２の位置検出回路２１４を通じて受け付けることももちろんできる。
【００７４】
図８（Ａ）に示したように、第１の端末装置１Ａと第２の端末装置２Ａとのそれぞれに電源が投入された状態で、これらの端末装置が距離的に離れているために近距離無線通信機能により通信ができない状態にあるとする。この場合には、第１の端末装置１Ａと第２の端末装置２Ａとは、それぞれ独立に機能する。電源が投入された状態の第１の端末装置１Ａと第２の端末装置２Ａとが、図８（Ａ）において点線矢印で示したように近づくようにされ、図８（Ｂ）に示すように、第１の端末装置１Ａと第２の端末装置２Ａとが近接し、相互に無線通信ができる状態になったとする。
【００７５】
この場合、図８（Ｂ）に示すように、第１の端末装置１Ａでは、制御部１３０において、描画ソフトが起動（実行）される。一方、第２の端末装置２Ａでは、制御部２３０において、パネルソフトが起動（実行）される。これにより、図８（Ｃ）に示すように、第１の端末装置１Ａでは、描画ソフトの機能によって、表示デバイス１１５の表示画面１１５Ｄの全面が描画エリアとされ、当該描画エリアを通じて、描画入力を行うことができるようにされる。第２の端末装置２Ａでは、パネルソフトの機能により、表示デバイス２１５の表示画面２１５Ｄの全面が指示入力エリアとされ、ここに指示入力受付画面が表示されて使用者からの指示入力を受け付けることができるようにされる。
【００７６】
第２の端末装置２Ａの表示画面２１５Ｄに表示された指示入力受付画面と、例えば、第１のセンサ２１１及び第１の位置検出回路２１２を通じて受け付けた指示入力に応じた指示情報は、指示情報提供回路２５２Ａが機能して、第１の端末装置１Ａに送信される。第２の端末装置２Ａからの指示情報は、線種や色などの描画に関する種々のパラメータであり、第１の端末装置１Ａでは、第２の端末装置２Ａからの指示情報を取得し、これに応じて描画エリアに描画することができるようにされる。
【００７７】
＜第２の実施の形態の第１の端末装置１Ａと第２の端末装置２Ａの処理＞
図９は、第２の実施の形態の第１の端末装置１Ａで行われる処理と第２の端末装置２Ａで行われる処理のそれぞれについ説明するためのフローチャートであり、図９（Ａ）は第１の端末装置１Ａの処理を、図９（Ｂ）は第２の端末装置２Ａの処理を示している。図９（Ａ）、（Ｂ）のフローチャートにおいて、第１の実施の形態の図６（Ａ）、（Ｂ）のフローチャートと同様に行われる処理には同じ参照符号を付し、その部分の詳細な説明については重複するので省略する。
【００７８】
第２の実施の形態の第１の端末装置１Ａは、電源が投入され、何のソフトウェアも実行されていない状態にあるときには、図９（Ａ）に示す処理を実行する。第１の端末装置１Ａは、ステップＳ１０１〜ステップＳ１０３の処理により、第２の端末装置２Ａと近接した場合に、近距離無線通信により通信路を接続する。通信路が接続された後において、第１の端末装置１Ａは、制御部１３０で描画ソフトを実行し、表示デバイス１１５の表示画面１１５Ｄの全面を描画エリアとして、使用者による描画入力を可能にする（ステップＳ３０１）。すなわち、ステップＳ３０１の処理の後においては、第１の端末装置１Ａは、使用者の指示入力に応じた描画が可能な状態に遷移する。
【００７９】
この後、第１の端末装置１Ａは、近距離無線通信アンテナ１４１Ａ及び近距離無線通信回路１４１を通じて、第２の端末装置２Ａからの指示情報を受信し、これを指示情報取得回路１５２Ａが取得して、描画パラメータメモリ１２２に格納する（ステップＳ１０６）。これにより、使用者からの指示入力に応じた描画を行うことができるようにされる。制御部１３０は、所定の終了事象が発生するまでステップＳ１０６からの処理を繰り返すようにし（ステップＳ１０７）、終了事象が発生したら、所定の終了処理を行って（ステップＳ１０８）、この図９（Ａ）に示す処理を終了する。
【００８０】
一方、第２の実施の形態の第２の端末装置２Ａにおいては、何のソフトウェアも実行されていない状態にあるときには、図９（Ｂ）に示す処理を実行する。第２の端末装置２Ａは、ステップＳ２０１〜ステップＳ２０３の処理により、第１の端末装置１Ａと近接した場合に、近距離無線通信により通信路を接続する。通信路が接続された後において、第２の端末装置２Ａは、制御部２３０でパネルソフトを実行し、表示デバイス２１５の表示画面２１５Ｄの全面を指示入力エリアとして、指示入力受付画像を表示して使用者による指示入力を可能にする（ステップＳ４０１）。すなわち、ステップＳ４０１の処理の後においては、第２の端末装置２Ａは、使用者の指示入力に応じた指示情報の受付が可能な状態に遷移する。これにより、第２の端末装置２Ａは、使用者からの指示入力を受け付けることができるようにされる。
【００８１】
第２の端末装置２Ａが、使用者から指示入力を受け付けたとする。この場合、指示情報提供回路２５２Ａが、受け付けた指示入力に応じた指示情報を形成し、これを近距離無線通信回路２４１及び近距離無線通信アンテナ２４１Ａを通じて、第１の端末装置１Ａに送信する処理を行う（ステップＳ２０５）。これにより、上述したように、第１の端末装置１Ａにおいて、使用者からの指示入力に応じた描画を行うことができるようにされる。制御部２３０は、所定の終了事象が発生するまでステップＳ２０５からの処理を繰り返すようにし（ステップＳ２０６）、終了事象が発生したら、所定の終了処理を行って（ステップＳ２０７）、この図９（Ｂ）に示す処理を終了する。
【００８２】
このように、この第２の実施の形態の描画システムの場合には、第１の端末装置１Ａが描画ソフトを備え、第２の端末装置２Ａがパネルソフトを備える。第１の端末装置１Ａは、当該描画ソフトを実行することにより、表示デバイス１１５の表示画面１１５Ｄの全画面を描画エリアとして描画入力を受け付けるようにできる。一方、第２の端末装置２Ａは、当該パネルソフトを実行することにより、表示デバイス２１５の表示画面２１５Ｄの全画面を指示入力エリアとし、指示入力受付画面を表示して指示入力を受け付け、これに応じた指示情報を第１の端末装置１Ａに提供できる。従って、第１の端末装置１Ａは、使用者からの指示情報に応じた描画を、表示画面１１５Ｄの全面を用いて行うことができる。
【００８３】
［第３の実施の形態］
＜第１の端末装置１Ｂと第２の端末装置２Ｂの構成例＞
第３の実施の形態の描画システムもまた、図１を用いて説明した第１の実施の形態の描画システムと同様に、第１の端末装置と第２の端末装置との２つの端末装置により構成される。具体的には、タブレットＰＣなどとして実現される第１の端末装置１Ｂと、スマートホンや小型のタブレットＰＣなどとして実現される第２の端末装置２Ｂとにより構成される。そして、この第３の実施の形態の第１の端末装置１Ｂ及び第２の端末装置２Ｂは、上述した第１、第２の実施の形態の描画システムと同様に、いずれも図２を用いて説明した基本構造を有する平板状（薄い型）のものである。
【００８４】
図１０は、第３の実施の形態の第１の端末装置１Ｂの構成例と第２の端末装置２Ｂの構成例とを説明するためのブロック図である。図１０と図７とを比較すると分かるように、第３の実施の形態の第１の端末装置１Ｂは、第２の実施の形態の第１の端末装置１Ａとほぼ同様に構成され、第３の実施の形態の第２の端末装置２Ｂは、第２の実施の形態の第２の端末装置２Ａとほぼ同様に構成される。ただし、第１の端末装置１Ｂ、第２の端末装置２Ｂで実行されるソフトウェアとその実行態様が、第２の実施の形態の第１の端末装置１Ａ、第２の端末装置２とは異なっている。
【００８５】
図１０の上側に示した第１の端末装置１Ｂもまた、図３を用いて説明した第１の実施の形態の第１の端末装置１と同様に構成される部分には同じ参照符号を付し、当該部分の詳細な説明については省略する。また、図１０の下側に示した第２の端末装置２Ｂもまた、図４を用いて説明した第１の実施の形態の第２の端末装置２と同様に構成される部分には同じ参照符号を付し、当該部分の詳細な説明については省略する。
【００８６】
第３の実施の形態の第１の端末装置１Ｂの制御部１３０は描画ソフト実行部として機能する。そして、制御部１３０で実行される描画ソフトは、描画機能と指示入力受付機能との両方を備えたものである。描画機能は、表示デバイス１１５の表示画面１１５Ｄに描画エリアを設け、描画を行うようにする機能である。指示入力受付機能は、表示デバイス１１５の表示画面１１５Ｄに指示入力エリアを設け、指示入力受付画面を表示して指示情報の入力を受け付ける機能である。
【００８７】
また、この実施の形態の描画ソフトについては、第１の端末装置１Ｂと第２の端末装置２Ｂとが協働する場合の優先順位の設定ができるようになっている。この優先順位は、描画機能を機能させる場合が第１位となり、指示入力受付機能を機能させる場合が第２位となるように決められているものとする。そして、第１の端末装置１Ｂの制御部１３０の記憶装置１３２には、描画ソフトに関する優先順位として第１位を示す情報が設定（記憶）され、第２の端末装置２Ｂと協働する場合には、第１の端末装置１Ｂにおいて描画機能を実行する設定となっている。
【００８８】
これにより、第２の端末装置２Ｂが近傍になく、第１の端末装置１Ｂが単体で機能する場合であって、当該描画ソフトを起動したとする。この場合には、単体で機能するので、描画ソフトの優先順位は関係なく、図１に示したように、表示デバイス１１５の表示画面１１５Ｄに描画エリアＲ１と指示入力エリアＲ２との両方を設けて、描画入力と指示入力の両方を受け付けることができるようにされる。
【００８９】
しかし、第２の端末装置２Ｂが近傍にあり、近距離無線通信による通信路が接続され、第１の端末装置１Ｂと第２の端末装置２Ｂとが協働して機能する場合には、描画ソフトの優先順位が考慮される。この場合、上述したように、第１の端末装置１Ｂの描画ソフトに関する優先順位は第１位であるので、描画機能だけが機能するようにして描画ソフトが実行される。この場合には、第１の端末装置１Ｂにおいて、指示入力受付機能が働くことはない。
【００９０】
一方、第３の実施の形態の第２の端末装置２Ｂの制御部２３０は描画ソフト実行部として機能する。制御部２３０で実行される描画ソフトは、第１の端末装置１Ｂの制御部１３０で実行される描画ソフトと同様のものであり、描画機能と指示入力受付機能との両方を備え、当該描画ソフトについては、優先順位の設定ができるようになっている。そして、第２の端末装置２Ｂの制御部２３０の記憶装置２３２には、描画ソフトに関する優先順位として第２位を示す情報が設定（記憶）され、第１の端末装置１Ｂと協働する場合には、第２の端末装置２Ｂにおいて指示入力受付機能を実行する設定となっている。
【００９１】
これにより、第１の端末装置１Ｂが近傍になく、第２の端末装置２Ｂが単体で機能する場合であって、当該描画ソフトを起動したとする。この場合には、単体で機能するので、描画ソフトの優先順位は関係なく、表示デバイス２１５の表示画面２１５Ｄに描画エリアＲ１と指示入力エリアＲ２との両方を設けて、描画入力と指示入力の両方を受け付けることができるようにされる。この場合には、表示画面２１５Ｄ自体が小さいが、第１の端末装置１Ｂが単体で機能する場合と同様に描画処理を行うことができる。
【００９２】
しかし、第１の端末装置１Ｂが近傍にあり、近距離無線通信による通信路が接続され、第２の端末装置２Ｂと第１の端末装置１Ｂとが協働して機能する場合には、描画ソフトの優先順位が考慮される。この場合、上述したように、第２の端末装置２Ｂの描画ソフトに関する優先順位は第２位であるので、指示入力受付機能が機能するようにして描画ソフトが実行される。
【００９３】
このように、第３の実施の形態の描画システムにおいては、第１の端末装置１Ｂと第２の端末装置２Ｂとのそれぞれでは、描画機能と指示入力受付機能との両方を備えた描画ソフトが搭載されて実行可能にされている。そして、第１の端末装置１Ｂと第２の端末装置２Ｂとに搭載される描画ソフトは、実行可能である場合には、全く同じ描画ソフトを搭載してもよい。しかし、一般的には、同じ機能を備えた描画ソフトであって、それぞれの端末装置で機能するオペレーティングシステムに応じた描画ソフトが搭載される。
【００９４】
例えば、第１の端末装置１Ｂで機能するオペレーティングシステムが、ｗｉｎｄｏｗｓ（登録商標）であり、第２の端末装置２Ｂで機能するオペレーティングシステムがＡｎｄｒｏｉｄ（登録商標）であったとする。この場合には、同様の機能を有する描画ソフトであって、ｗｉｎｄｏｗｓ（登録商標）用の描画ソフトが第１の端末装置１Ｂに搭載され、Ａｎｄｒｏｉｄ（登録商標）用の描画ソフトが第２の端末装置２Ｂに搭載される。また、第１の端末装置１Ｂと第２の端末装置２Ｂとが同じオペレーティングシステムが機能する場合であっても、描画機能と指示入力受付機能との両方を備えた描画ソフトであれば、それぞれの端末装置の特性に応じて作成された描画ソフトが、それぞれの端末装置に搭載されていてももちろんよい。
【００９５】
＜第３の実施の形態の描画システムの動作の概要＞
図１１は、第３の実施の形態の描画システムを構成する第１の端末装置１Ｂと第２の端末装置２Ｂの動作の概要について説明するための図である。図１１（Ａ）に示すように、第１の端末装置１Ｂには、描画ソフトが搭載されている。当該描画ソフトは、上述もしたように、描画機能と指示入力受付機能とを備えたものである。また、第２の端末装置２Ｂにも、第１の端末装置１Ｂの場合と同様に、描画機能と指示入力受付機能とを備えた描画ソフトが搭載されている。
【００９６】
第１の端末装置１Ｂと第２の端末装置２Ｂとおいては、搭載されている描画ソフトについての優先順位が設定されている。描画ソフトについての優先順位は、第１の端末装置１Ｂと第２の端末装置２Ｂとが協働して描画を行えるようにする場合に、描画機能を実行する端末が第１位で、指示入力受付機能を実行する端末が第２位となるものである。この第３の実施の形態においては、第１の端末装置１Ｂの描画ソフトに関する優先順位は第１位であり、第２の端末装置２Ｂの描画ソフトに関する優先順位は第２位である。
【００９７】
図１１（Ａ）に示したように、第１の端末装置１Ｂと第２の端末装置２Ｂとのそれぞれに電源が投入された状態で、これらの端末装置が距離的に離れているために近距離無線通信機能により通信ができない状態にあるとする。この場合には、第１の端末装置１と第２の端末装置２とは、それぞれ独立に機能する。従って、この状態で描画ソフトがそのそれぞれで実行されれば、従来通り、第１の端末装置１Ｂと第２の端末装置２Ｂのそれぞれで、描画エリアと指示入力エリアとが設けられて描画処理を行うようにできる。
【００９８】
電源が投入された状態の第１の端末装置１Ｂと第２の端末装置２Ｂとが、図１１（Ａ）において点線矢印で示したように近づくようにされたとする。そして、図１１（Ｂ）に示すように、第１の端末装置１Ｂと第２の端末装置２Ｂとが近接し、相互に近距離無線通信ができる状態になったとする。
【００９９】
この場合、図１１（Ｂ）に示すように、第１の端末装置１Ｂでは、描画ソフトに関する優先順位が第１位に設定されているので、描画機能だけを実行するようにして描画ソフトが起動（実行）される。一方、第２の端末装置２Ｂでは、描画ソフトに関する優先順位が第２位に設定されているので、指示入力受付機能だけを実行するようにして描画ソフトが起動（実行）される。
【０１００】
これにより、図１１（Ｃ）に示すように、第１の端末装置１Ｂでは、描画ソフトの描画機能によって、表示デバイス１１５の表示画面１１５Ｄの全面が描画エリアとされ、当該描画エリアを通じて、描画入力を行うことができるようにされる。第２の端末装置２Ｂでは、描画ソフトの指示入力受付機能によって、表示デバイス２１５の表示画面２１５Ｄの全面が指示入力エリアとされ、ここに指示入力受付画面が表示されて使用者からの指示入力を受け付けることができるようにされる。
【０１０１】
第２の端末装置２Ｂの表示画面２１５Ｄに表示された指示入力受付画面と、例えば、第１のセンサ２１１及び第１の位置検出回路２１２を通じて受け付けた指示入力に応じた指示情報は、指示情報提供回路２５２Ａが機能して、第１の端末装置１Ｂに送信される。第２の端末装置２Ｂからの指示情報は、線種や色などの描画に関する種々のパラメータであり、第１の端末装置１Ｂでは、第２の端末装置２Ａからの指示情報を取得し、これに応じて描画エリアに描画することができるようにされる。
【０１０２】
＜第３の実施の形態の第１の端末装置１Ｂと第２の端末装置２Ｂの処理＞
図１２は、第３の実施の形態の第１の端末装置１Ｂで行われる処理と第２の端末装置２Ｂで行われる処理のそれぞれについ説明するためのフローチャートであり、図１２（Ａ）は第１の端末装置１Ｂの処理を、図１２（Ｂ）は第２の端末装置２Ｂの処理を示している。図１２（Ａ）、（Ｂ）のフローチャートにおいて、第１の実施の形態の図６（Ａ）、（Ｂ）のフローチャートと同様に行われる処理には同じ参照符号を付し、その部分の詳細な説明については重複するので省略する。
【０１０３】
第１の端末装置１Ｂは、電源が投入され、何のソフトウェアも実行されていない状態にあるときには、図１２（Ａ）に示す処理を実行する。第１の端末装置１Ｂは、ステップＳ１０１〜ステップＳ１０３の処理により、第２の端末装置２Ｂと近接した場合に、近距離無線通信により通信路を接続する。通信路が接続された後において、第１の端末装置１Ｂは、描画ソフトに関する優先順位が第１位であるので、制御部１３０で描画機能のみを実行するようにして描画ソフトを起動（実行）する（ステップＳ５０１）。これにより、ステップＳ５０１の処理の後においては、第１の端末装置１Ｂは、使用者の指示入力に応じた描画が可能な状態に遷移し、表示デバイス１１５の表示画面１１５Ｄの全面を描画エリアとして、使用者による描画入力が可能になる。
【０１０４】
この後、第１の端末装置１Ｂは、近距離無線通信アンテナ１４１Ａ及び近距離無線通信回路１４１を通じて、第２の端末装置２Ｂからの指示情報を受信し、これを指示情報取得回路１５２Ａが取得して、描画パラメータメモリ１２２に格納する（ステップＳ１０６）。これにより、使用者からの指示入力に応じた描画を行うことができるようにされる。制御部１３０は、所定の終了事象が発生するまでステップＳ１０６からの処理を繰り返すようにし（ステップＳ１０７）、終了事象が発生したら、所定の終了処理を行って（ステップＳ１０８）、この図１１（Ａ）に示す処理を終了する。
【０１０５】
一方、第２の端末装置２Ｂにおいては、電源が投入され、何のソフトウェアも実行されていない状態にあるときには、図１２（Ｂ）に示す処理を実行する。第２の端末装置２Ｂは、ステップＳ２０１〜ステップＳ２０３の処理により、第１の端末装置１Ｂと近接した場合に、近距離無線通信により通信路を接続する。通信路が接続された後において、第２の端末装置２Ｂは、描画ソフトに関する優先順位が第２位であるので、制御部２３０で、指示入力受付機能のみを実行するようにして描画ソフトを起動（実行）する（ステップＳ６０１）。すなわち、ステップＳ６０１の処理の後においては、第２の端末装置２Ｂは、使用者の指示入力に応じた指示情報の受付が可能な状態に遷移する。これにより、第２の端末装置２Ｂでは、表示デバイス２１５の表示画面２１５Ｄの全面を指示入力エリアとして、指示入力受付画像を表示して使用者による指示入力が可能になる。
【０１０６】
第２の端末装置２Ｂが、使用者から指示入力を受け付けたとする。この場合、指示情報提供回路２５２Ａが、受け付けた指示入力に応じた指示情報を形成し、これを近距離無線通信回路２４１及び近距離無線通信アンテナ２４１Ａを通じて、第１の端末装置１Ｂに送信する処理を行う（ステップＳ２０５）。これにより、上述したように、第１の端末装置１Ｂにおいて、使用者からの指示入力に応じた描画を行うことができるようにされる。制御部２３０は、所定の終了事象が発生するまでステップＳ２０５からの処理を繰り返すようにし（ステップＳ２０６）、終了事象が発生したら、所定の終了処理を行って（ステップＳ２０７）、この図１２（Ｂ）に示す処理を終了する。
【０１０７】
このように、この第３の実施の形態の描画システムでは、第１の端末装置１Ｂと第２の端末装置２Ｂとが近接しておらず、それぞれが単体で描画ソフトを起動すると、自機の表示画面に描画エリアと指示入力受付エリアを設けて従来通りの描画処理が行える。しかし、第１の端末装置１Ｂと第２の端末装置２Ｂとが近接している場合には、それぞれにおいて描画ソフトが実行されるものの、第１の端末装置１Ｂでは描画機能が、第２の端末装置２Ｂでは指示入力受付機能が実行される。この場合、描画については、第１の端末装置１Ｂの表示デバイス１１５の表示画面１１５Ｄの全面を通じて描画を行うことができる。また、指示入力については、描画は第２の端末装置２Ｂの表示デバイス２１５の表示画面２１５Ｄの全面を通じて行うことができ、受け付けた指示入力に応じた指示情報を第１の端末装置１Ｂに提供できる。
【０１０８】
［第２の端末装置２、２Ａ、２Ｂの使用者への装着］
上述した第１〜第３の実施の形態の描画システムは、いずれも第１の端末装置（１、１Ａ、１Ｂ）と第２の端末装置（２、２Ａ、２Ｂ）の２つの端末装置から構成されている。このため、机上で当該描画システムを使用する場合には両端末装置を机上において操作できるので、操作上の問題はない。しかし、例えば屋外などにおいて、スケッチを行うような場合には、第１の端末装置と第２の端末装置との両方を手に持たなければならず、当該描画システムを用いては、自由な描画を行えなくなる可能性がある。
【０１０９】
そこで、描画エリアが設けられる第１の端末装置（１、１Ａ、１Ｂ）は手で把持するようにし、第２の端末装置（２、２Ａ、２Ｂ）は第１の端末装置（１、１Ａ、１Ｂ）を把持する方の腕に装着することにより、他方の手を自由にする。これにより、他方の手には電子ペンを持って、第１の端末装置と第２の端末装置との両方への操作が可能になり、自由な描画を行えるようにできる。図１３は、第２の端末装置（２、２Ａ、２Ｂ）の使用者の身体への装着の例について説明するための図である。ここでは、第１の実施の形態の第１の端末装置１と第２の端末装置２とを用いる場合を例にして説明する。
【０１１０】
図１３（Ａ）、（Ｂ）に示すように、第２の端末装置２の表示画面２１５Ｄとは反対側の面（裏面）には、リストバンド２１とフィンガーバンド２２とが装着されている。装着の仕方は様々な方法を用いることができるが、リストバンド２１は、例えば、その両端に設けられた係止部材が、第２の端末装置２の裏面に設けられたリストバンド用の溝に対して嵌め込まれて、容易に外れないようにされている。また、フィンガーバンド２２はこれに設けられている係止部材が、第２の端末装置２の裏面に設けられたフィンガーバンド用の溝に対して嵌め込まれて、容易に外れないようにされている。
【０１１１】
使用者は、自分の腕にリストバンド２１を嵌め、自分の例えば親指にフィンガーバンドを嵌めることによって、図１３（Ａ）、（Ｂ）に示すように、使用者の腕に第２の端末装置２を装着することができる。使用者は、第２の端末装置２が装着された腕を左右に動かしたり、第２の端末装置２が装着された腕の手首を動かすことによって、使用者の腕に装着した第２の端末装置２の位置を若干ずらしたり、表示画面２１５Ｄの向き（傾き）を調整したりすることができる。
【０１１２】
更に、図１３（Ｃ）に示すように、第２の端末装置２を装着した側の手で第１の端末装置１を把持することによって、使用者の当該手（腕部を含む）によって、第１の端末装置１と第２の端末装置２との両方を持つ（保持する）ことができる。これにより、他方の手は電子ペンだけを持てばよいので、使用者は、屋外などにおいても、第１の端末装置１と第２の端末装置２との両方を電子ペンで操作して、自分の意図に応じて第１の端末装置１に対して自由に描画入力を行うことができる。
【０１１３】
なお、図１３（Ｃ）に示した例の場合には、使用者の左腕に第２の端末装置２を装着し、左手で第１の端末装置１を把持している場合を示している。従って、右手に電子ペンを持ち、自由な描画入力を行うことができる。もちろん、右腕に第２の端末装置２を装着し、右手で第１の端末装置１を把持し、左手に電子ペンを持って、第１の端末装置１と第２の端末装置２との両方を操作するようにすることも可能である。また、第２、第３の実施の形態の描画システムについても、図１３を用いて説明した態様で利用することができる。
【０１１４】
［電子ペンによる認証］
上述した第１、第２、第３の実施の形態では、第１の端末装置（１、１Ａ、１Ｂ）と第２の端末装置（２、２Ａ、２Ｂ）が近接して、近距離無線通信により通信路が接続できた場合に描画システムとして動作するようにした。しかし、使用者が複数の端末装置を所持していたり、他の人の端末装置が近傍に存在していたりする場合もあると考えられる。このような場合には、若干ではあるが、本来、ペアとなるべき第１の端末装置と第２の端末装置とがペアとならずに、本来の描画システムが動作できなくなる可能性がある。
【０１１５】
そこで、使用者が第１の端末装置（１、１Ａ、１Ｂ）と第２の端末装置（２、２Ａ、２Ｂ）で共通に使用する電子ペンにより、近距離無線通信による通信路を接続する端末の認証を行うようにする。簡単には、電子ペンの指示入力を受け付けた端末装置が、近距離無線による接続要求を出すようにする。そして、他端末からの接続要求を受信し、自機からも接続要求を出している場合に、接続要求の送信元と自機との間に通信路を接続するようにすれば、描画システムを構成する第１の端末装置と第２の端末装置のペアリングができる。
【０１１６】
しかし、電子ペンに指示入力が可能な端末装置が３台以上存在した場合には、上述した方法では適切なペアリングができない場合もある。そこで、描画システムを用いる使用者が使用する電子ペンから送信する位置指示信号に、当該電子ペンに固有の電子ペン識別情報（電子ペンＩＤ）を含める。当該電子ペンからの電子ペンＩＤを含む位置指示信号を受信した第１の端末装置１や第２の端末装置２では、電子ペンからの位置指示信号に含まれる電子ペンＩＤを抽出し、これを保持する。更に、第１の端末装置１と第２の端末装置２とは、保持した電子ペンＩＤを含む接続要求を形成し、これを近距離無線通信により送信する。
【０１１７】
そして、第１の端末装置１と第２の端末装置２とは、自機が保持している電子ペンＩＤと同じ電子ペンＩＤを含む接続要求を送信してきた端末装置と通信路を接続する。これにより、ペアとなって描画システムを構成する第１の端末装置１と第２の端末装置２との間に通信路を接続して、適切に描画システムを構成し、機能させることができる。
【０１１８】
図１４は、電子ペンＩＤを用いた認証処理を行う描画システムの構成例を説明するためのブロック図である。図１４において、第１の端末装置１Ｃに設けた電子ペン認証部１７０と、第２の端末装置２Ｃに設けた電子ペン認証部２７０とが、電子ペン認証機能を実現する主要部となる。第１の端末装置１Ｃの電子ペン認証部１７０以外の部分は、第１の実施の形態の第１の端末装置１と同様に構成される部分である。同様に、第２の端末装置２Ｃの電子ペン認証部２７０以外の部分は、第１の実施の形態の第２の端末装置２と同様に構成される部分である。
【０１１９】
すなわち、第１の端末装置１Ｃにおいては、ユーザインターフェース部１１０が機能して、電子ペンからの位置指示信号を受信し、当該位置指示信号から電子ペンＩＤを抽出して、電子ペン認証部１７０に供給する。電子ペン認証部１７０は、ユーザインターフェース部１１０からの電子ペンＩＤを保持すると共に、制御部１３０の制御の下、コネクション部１４０と協働し、電子ペンＩＤを含む接続要求を形成して、これを近距離無線通信により送信する。更に、電子ペン認証部１７０は、コネクション部１４０を通じて受信した接続要求に電子ペンＩＤが含まれている。このため、当該電子ペンＩＤが電子ペン認証部１７０において保持する電子ペンＩＤと同じであった場合に、当該接続要求の送信元との間に通信路を接続するようにコネクション部１４０を制御する。
【０１２０】
同様に、第２の端末装置２Ｃにおいては、ユーザインターフェース部２１０が機能して、電子ペンからの位置指示信号を受信し、当該位置指示信号から電子ペンＩＤを抽出して、電子ペン認証部２７０に供給する。電子ペン認証部２７０は、ユーザインターフェース部２１０からの電子ペンＩＤを保持すると共に、制御部２３０の制御の下、コネクション部２４０と協働し、電子ペンＩＤを含む接続要求を形成して、これを近距離無線通信により送信する。更に、電子ペン認証部２７０は、コネクション部２４０を通じて受信した接続要求に電子ペンＩＤが含まれている。このため、当該電子ペンＩＤが電子ペン認証部２７０において保持する電子ペンＩＤと同じであった場合に、当該接続要求の送信元との間に通信路を接続するようにコネクション部２４０を制御する。
【０１２１】
これにより、第１の端末装置１Ｃと第２の端末装置２Ｃとの間に通信路が接続されて、第１の端末装置１と第２の端末装置２とからなる描画システムが適切に構成される。この場合、第１の端末装置１Ｃと第２の端末装置２Ｃとの間に、他のいかなる端末装置が存在していても、第１の端末装置１Ｃと第２の端末装置２Ｃとは、他の端末装置と通信路を接続することはない。これにより、常時、適切に描画システムを構成できる。以上のことは、第２の実施の形態の描画システム、第３の実施の形態の描画システムのいずれの場合にも、同様の認証処理を行うようにできる。
【０１２２】
［実施の形態の効果］
上述した実施の形態の説明から分かるように、第１の端末装置（１、１Ａ、１Ｂ、１Ｃ）においては、表示デバイス１１５の表示画面の全面を描画エリアとして用いて描画入力を受け付けることができる。また、第２の端末装置（２、２Ａ、２Ｂ、２Ｃ）においては、表示デバイス２１５の表示画面の全面を指示入力エリアとし、ここに指示入力受付画面を表示して、使用者からの指示入力を受け付けることができる。そして、第２の端末装置（２、２Ａ、２Ｂ、２Ｃ）においては、受け付けた指示入力に応じて指示情報を第１の端末装置（１、１Ａ、１Ｂ、１Ｃ）に提供できる。これにより、第１の端末装置（１、１Ａ、１Ｂ、１Ｃ）においては、使用者の指示入力に応じた描画を行える。
【０１２３】
このように、上述した実施の形態の描画システムの場合には、第１の端末装置（１、１１Ｂ、１Ｃ）の表示画面に大きな描画エリアを確保できる。また、第２の端末装置（２、２Ａ、２Ｂ、２Ｃ）の表示画面に指示入力エリアを設け、この指示入力エリアに対する指示入力も適切なタイミングで受け付け、第１の端末装置（１、１１Ｂ、１Ｃ）に提供して、使用者の指示に応じた描画を行うようにすることができる。
【０１２４】
［変形例］
なお、上述した実施の形態の第１の端末装置（１、１Ａ、１Ｂ、１Ｃ）の第１のセンサ１１１と第２の端末装置（２、２Ａ、２Ｂ、２Ｃ）の第１のセンサ２１１は、いずれも電磁誘導方式のものであるので、同一の電子ペンを用いて描画入力や指示入力を行える。また、上述した実施の形態の第１の端末装置（１、１Ａ、１Ｂ、１Ｃ）の第２のセンサ１１３と第２の端末装置（２、２Ａ、２Ｂ、２Ｃ）の第２のセンサ２１３は、いずれも静電容量方式のものであるので、使用者の指や静電ペンによる入力も可能である。このため、第１の端末装置（１、１Ａ、１Ｂ、１Ｃ）に対する描画入力は電子ペンを用いて行い、第２の端末装置（２、２Ａ、２Ｂ、２Ｃ）に対する指示入力は使用者の指を用いて行うといったことが可能である。
【０１２５】
また、描画システムを構成する第１の端末装置と第２の端末装置とは、電磁誘導方式のセンサと静電容量方式のセンサとの両方を備える必要はない。第１の端末装置と第２の端末装置とは、電磁誘導方式のセンサと静電容量方式のセンサとのいずれか一方を備えるものであればよい。そして、第１の端末装置については、描画機能を実現するものであるので、電子ペンや静電ペンによって、描画入力を行うことができるセンサを備えていればよい。
【０１２６】
センサの組み合わせとしては、以下の４つがある。（１）第１の端末装置と第２の端末装置とが共に電磁誘導方式のセンサを備える場合がある。（２）第１の端末装置と第２の端末装置とが共に静電容量方式のセンサを備える場合がある。（３）第１の端末装置が電磁誘導方式のセンサを備え、第２の端末装置が静電容量方式のセンサを備える場合がある。（４）第１の端末装置が静電容量方式のセンサを備え、第２の端末装置が電磁誘導方式のセンサを備える場合がある。
【０１２７】
また、上述した実施の形態では、第１の端末装置（１、１Ａ、１Ｂ、１Ｃ）と第２の端末装置（２、２Ａ、２Ｂ、２Ｃ）とは、近距離無線通信により接続されるものとしたが、これに限るものではない。両端末装置間を有線により接続することもできる。この場合には、有線による他の端末装置との接続が確認できた場合に、他の端末装置との間に有線を通じて通信路を接続するようにすればよい。
【０１２８】
また、上述した実施の形態では、第１の端末装置（１、１Ａ、１Ｂ、１Ｃ）と第２の端末装置（２、２Ａ、２Ｂ、２Ｃ）とが、近接した場合に、通信路を接続し、自動的に描画ソフトやパネルソフトを起動（実行）するようにしたが、これに限るものではない。第１の端末装置（１、１Ａ、１Ｂ、１Ｃ）と第２の端末装置（２、２Ａ、２Ｂ、２Ｃ）とが近接して通信路を接続したとする。この場合に、例えば、第１の端末装置（１、１Ａ、１Ｂ、１Ｃ）と第２の端末装置（２、２Ａ、２Ｂ、２Ｃ）との一方あるいは両方で、描画を行うようにするための操作入力を受け付けた場合に、描画ソフトやパネルソフトを起動（実行）するようにしてもよい。
【０１２９】
また、第２の端末装置（２、２Ａ、２Ｂ、２Ｃ）は、スマートホンやタブレットＰＣの構成のものとして説明したが、これに限るものではない。例えば、スマートウォッチなどと呼ばれる腕時計型の端末装置であってもよいし、指示入力が可能な種々のウェアラブル端末（使用者の身体に装着して使用する端末）であってもよい。
【０１３０】
また、第２の端末装置（２、２Ａ、２Ｂ、２Ｃ）で用いられる指示入力受付画面は１つに限らず、受け付ける情報が異なる複数の指示入力受付画面を用意し、これらを使用者の指示に応じて切り替えて用いるようにすることももちろんできる。当該制御は、制御回路２３１によって行うことができる。
【０１３１】
また、第２の端末装置（２、２Ａ、２Ｂ、２Ｃ）に設けられる操作ボタンを、パーソナルコンピュータのポインティングデバイスであるいわゆるマウスの左クリックボタンや右クリックボタンのようにして用いるようにすることができる。すなわち、第２の端末装置（２、２Ａ、２Ｂ、２Ｃ）に設けられる所定の操作ボタンを押下した時には、第１の端末装置（１、１Ａ、１Ｂ、１Ｃ）の表示デバイス１１５の表示画面１１５Ｄ上にあるものを選択したり、移動したり、実行したりするようできる。また、第２の端末装置（２、２Ａ、２Ｂ、２Ｃ）に設けられる他の所定の操作ボタンを押下した時には、第１の端末装置（１、１Ａ、１Ｂ、１Ｃ）において、そのときに実行可能な機能のメニューを表示させて選択可能にすることができる。
【０１３２】
また、電子ペンにサイドスイッチが搭載されており、このサイドスイッチの操作情報を近距離無線通信により送信可能であるとする。この場合には、電子ペンのサイドスイッチを、パーソナルコンピュータのポインティングデバイスであるいわゆるマウスの左クリックボタンや右クリックボタンのようにして、例えば第１の端末装置（１、１Ａ、１Ｂ、１Ｃ）に対する操作に用いるようにすることができる。もちろん、電子ペンのサイドスイッチに対する操作に応じた情報を、第２の端末装置（２、２Ａ、２Ｂ、２Ｃ）に対する操作にも用いるようにすることができる。このため、電子ペンのサイドスイッチに対する操作に応じて、第１の端末装置（１、１Ａ、１Ｂ、１Ｃ）と、第２の端末装置（２、２Ａ、２Ｂ、２Ｃ）とのいずれを操作できるようにするかは、例えば使用者によってそれぞれの端末装置に設定できるようにしておけばよい。
【０１３３】
また、第１の端末装置（１、１Ａ、１Ｂ、１Ｃ）と、第２の端末装置（２、２Ａ、２Ｂ、２Ｃ）の表示デバイスの表示画面の大きさは、図１にしました態様に限るものではない。第１の端末装置（１、１Ａ、１Ｂ、１Ｃ）と第２の端末装置（２、２Ａ、２Ｂ、２Ｃ）とが同じサイズの表示デバイスを備えていてもよい。また、第２の端末装置（２、２Ａ、２Ｂ、２Ｃ）の表示デバイスの表示画面の方が、第１の端末装置（１、１Ａ、１Ｂ、１Ｃ）ン表示デバイスの表示画面よりも大きくてもよい。
【符号の説明】
【０１３４】
１、１Ａ、１Ｂ、１Ｃ…第１の端末装置、１１０…ユーザインターフェース部、１１１…第１のセンサ、１１２…第１の位置検出回路、１１３…第２のセンサ、１１４…第２の位置検出回路、１１５…表示デバイス、１１５Ｄ…表示画面、１１６…表示制御回路、１２０…描画処理部、１２１…描画用画像メモリ、１２２…描画パラメータメモリ、１２３…描画処理回路、１３０…制御部、１３１…制御回路、１３２…記憶装置、１４０…コネクション部、１４１…近距離無線通信回路、１４１Ａ…近距離無線通信アンテナ、１４２…近接判定回路、１５０…パネル連携部、１５１…パネルデータ提供回路、１５２、１５２Ａ…指示情報取得回路、１７０…電子ペン認証部、２、２Ａ、２Ｂ、２Ｃ…第２の端末装置、２１０…ユーザインターフェース部、２１１…第１のセンサ、２１２…第１の位置検出回路、２１３…第２のセンサ、２１４…第２の位置検出回路、２１５…表示デバイス、２１５Ｄ…表示画面、２１６…表示制御回路、２２０…描画処理部、２２１…描画用画像メモリ、２２２…描画パラメータメモリ、２２３…描画処理回路、２３０…制御部、２３１…制御回路、２３２…記憶装置、２４０…コネクション部、２４１…近距離無線通信回路、２４１Ａ…近距離無線通信アンテナ、２４２…近接判定回路、２５０…パネル連携部、２５１…パネルデータ取得回路、２５２、２５２Ａ…指示情報提供回路、２７０…電子ペン認証部、２１…リストバンド、２２…保持具
【図１】
2020158088.tif 000003
【図２】
2020158088.tif 000004
【図３】
2020158088.tif 000005
【図４】
2020158088.tif 000006
【図５】
2020158088.tif 000007
【図６】
2020158088.tif 000008
【図７】
2020158088.tif 000009
【図８】
2020158088.tif 000010
【図９】
2020158088.tif 000011
【図１０】
2020158088.tif 000012
【図１１】
2020158088.tif 000013
【図１２】
2020158088.tif 000014
【図１３】
2020158088.tif 000015
【図１４】
2020158088.tif 000016
【手続補正書】
【提出日】令和3年4月28日(2021.4.28)
【手続補正１】
【補正対象書類名】明細書
【補正対象項目名】００１５
【補正方法】変更
【補正の内容】
【００１５】
第１の端末装置１と第２の端末装置２とは、近距離無線通信機能により通信路を接続し、相互に通信を行うことができる。近距離無線通信機能の規格には種々のものがあり、当該描画システムにおいても、種々の規格の近距離無線通信機能を用いることが可能である。しかし、以下においては説明を簡単にするため、第１の端末装置１と第２の端末装置２との間では、広く一般に利用されているＢｌｕｅｔｏｏｔｈ（登録商標）規格の近距離無線通信機能が用いられるものとして説明する。
【手続補正２】
【補正対象書類名】明細書
【補正対象項目名】００３６
【補正方法】変更
【補正の内容】
【００３６】
コネクション部１４０は、近距離無線通信機能を実現する部分であり、近距離無線通信回路１４１及び近距離無線通信アンテナ１４１Ａと、近接判定回路１４２とからなる。近距離無線通信回路１４１及び近距離無線通信アンテナ１４１Ａは、Ｂｌｕｅｔｏｏｔｈ（登録商標）規格の近距離無線機能を実現する。近接判定回路１４２は、近距離無線通信回路１４１の状態や受信した情報に基づいて、第２の端末装置２が近接し、近距離無線通信回路１４１及び近距離無線通信アンテナ１４１Ａを通じて通信路を接続して通信が可能になったか否かを判定する。
【手続補正３】
【補正対象書類名】明細書
【補正対象項目名】００５８
【補正方法】変更
【補正の内容】
【００５８】
ステップＳ２０１の判定処理が終了した場合には、制御回路２３１は、近接判定回路２４２からの検出出力に基づいて、第１の端末装置１が近接したか否かを判別する（ステップＳ２０２）。ステップＳ２０２の判別処理において、第１の端末装置１は近接していないと判別した場合には、所定の終了事象が発生した状態であるので、制御回路２３１は、図６（Ｂ）に示す処理を終了して、次の実行タイミングを待つことになる。また、ステップＳ２０２の判別処理において、第１の端末装置１が近接していると判別した場合には、制御回路２３１は、近距離無線通信回路２４１を制御し、第１の端末装置１と近距離無線通信を行って通信路を接続する処理を行う（ステップＳ２０３）。
【手続補正４】
【補正対象書類名】明細書
【補正対象項目名】００６９
【補正方法】変更
【補正の内容】
【００６９】
但し、第１の実施の形態の第１の端末装置１及び第２の端末装置２と、以下に説明する第２の実施の形態の第１の端末装置１Ａ及び第２の端末装置２Ａとは、実行されるソフトウェアやパネル連携部の構成が異なっている。図７は、第２の実施の形態の第１の端末装置１Ａの構成例と第２の端末装置２Ａの構成例とを説明するためのブロック図である。図７の上側に示した第１の端末装置１Ａにおいて、図３を用いて説明した第１の実施の形態の第１の端末装置１と同様に構成される部分には同じ参照符号を付し、当該部分の詳細な説明については省略する。同様に、図７の下側に示した第２の端末装置２Ａにおいて、図４を用いて説明した第１の実施の形態の第２の端末装置２と同様に構成される部分には同じ参照符号を付し、当該部分の詳細な説明については省略する。
【手続補正５】
【補正対象書類名】明細書
【補正対象項目名】００８４
【補正方法】変更
【補正の内容】
【００８４】
図１０は、第３の実施の形態の第１の端末装置１Ｂの構成例と第２の端末装置２Ｂの構成例とを説明するためのブロック図である。図１０と図７とを比較すると分かるように、第３の実施の形態の第１の端末装置１Ｂは、第２の実施の形態の第１の端末装置１Ａとほぼ同様に構成され、第３の実施の形態の第２の端末装置２Ｂは、第２の実施の形態の第２の端末装置２Ａとほぼ同様に構成される。ただし、第１の端末装置１Ｂ、第２の端末装置２Ｂで実行されるソフトウェアとその実行態様が、第２の実施の形態の第１の端末装置１Ａ、第２の端末装置２Ａとは異なっている。
【手続補正６】
【補正対象書類名】明細書
【補正対象項目名】０１１１
【補正方法】変更
【補正の内容】
【０１１１】
使用者は、自分の腕にリストバンド２１を嵌め、自分の例えば親指にフィンガーバンド２２を嵌めることによって、図１３（Ａ）、（Ｂ）に示すように、使用者の腕に第２の端末装置２を装着することができる。使用者は、第２の端末装置２が装着された腕を左右に動かしたり、第２の端末装置２が装着された腕の手首を動かすことによって、使用者の腕に装着した第２の端末装置２の位置を若干ずらしたり、表示画面２１５Ｄの向き（傾き）を調整したりすることができる。
【手続補正７】
【補正対象書類名】明細書
【補正対象項目名】０１２３
【補正方法】変更
【補正の内容】
【０１２３】
このように、上述した実施の形態の描画システムの場合には、第１の端末装置（１、１Ａ、１Ｂ、１Ｃ）の表示画面に大きな描画エリアを確保できる。また、第２の端末装置（２、２Ａ、２Ｂ、２Ｃ）の表示画面に指示入力エリアを設け、この指示入力エリアに対する指示入力も適切なタイミングで受け付け、第１の端末装置（１、１Ａ、１Ｂ、１Ｃ）に提供して、使用者の指示に応じた描画を行うようにすることができる。
【手続補正８】
【補正対象書類名】明細書
【補正対象項目名】０１３３
【補正方法】変更
【補正の内容】
【０１３３】
また、第１の端末装置（１、１Ａ、１Ｂ、１Ｃ）と、第２の端末装置（２、２Ａ、２Ｂ、２Ｃ）の表示デバイスの表示画面の大きさは、図１にしました態様に限るものではない。第１の端末装置（１、１Ａ、１Ｂ、１Ｃ）と第２の端末装置（２、２Ａ、２Ｂ、２Ｃ）とが同じサイズの表示デバイスを備えていてもよい。また、第２の端末装置（２、２Ａ、２Ｂ、２Ｃ）の表示デバイスの表示画面の方が、第１の端末装置（１、１Ａ、１Ｂ、１Ｃ）の表示デバイスの表示画面よりも大きくてもよい。
【国際調査報告】
2020158088.tif 000017
2020158088.tif 000018
2020158088.tif 000019